(57)【要約】【目的】シート上に載置した載置物の落下を防止する載置物落下防止装置によってシートの外観品質を損なわれないようにすると共に格納状態から使用状態にするための操作性を向上する。【構成】シートクッションＳＣの下方に固定したリトラクタ１４に巻取られ、シートクッションＳＣの前側面ロより上面イに引き出される落下防止体Ａに、シートの乗員拘束用のバックル５に着脱自在に結合する固定具を設けたことを特徴とする。【選択図】        図２
2004195079.tif 000002
【特許請求の範囲】
【請求項１】
シートクッションの下方に固定したリトラクタに巻取られシートクッションの側面より上面に引き出される落下防止体に、シートの乗員拘束用シートベルトのバックルに、着脱自在に結合する固定具を設けてなる載置物落下防止装置。
【請求項２】
前記落下防止体は、中央部とその左右に直角状に設けた左右の側部とから構成して左右の側部の遊端をシートクッションの左右側面に前後方向に回動自在に軸着したコ字状の支持杆と、
前記支持杆の中央部に一端を連結し他端をシートクッションの前側面側から前記トラクタに連結する落下防止幕とからなり、
前記支持杆に前記固定具を設けてなる請求項１に記載の落下防止装置。
【請求項３】
前記シートクッションの前側面下部に沿って、前記落下防止幕をシートクッションの前側面との間に挿通する樹脂製カバーを設けてなる請求項２記載の載置物落下防止装置。
【請求項４】
シートクッションの下方に収納され、使用時にシートクッション側面よりシートクッション上方に引き出される落下防止膜を、乗員拘束用シートベルトのバックルを介して固定する載置物落下防止装置。
【発明の詳細な説明】
【０００１】
【発明の属する技術分野】
本発明は、自動車の助手席上などのシートに載置した荷物などの載置物が、自動車の急制動時に、車床に落下するのを防止する載置物落下防止装置に関する。
【０００２】
【従来の技術】
助手席に小物、パソコン等の載置物を載置した際に、その載置物の落下を防止するために、助手席のシートクッション前側に格納した落下防止部材をシートクッションの上方に突出させたものが数多く提案されている。
【０００３】
そして、落下防止部材として折り畳み可能な幕を使用したものには、シートクッションの左右側面と前側面に沿うコ字状の支持杆に、布材製の落下防止幕を連結し、支持杆の両端部を前記シートクッションの左右側面に回動可能に軸着したものも開示されている（例えば特許文献１参照）。
【０００４】
これは、支持杆を上方に回動することにより、シートクッションの上面より上方に落下防止幕が突出してシートクッション上に載置した荷物などの載置物の落下を防止し、また、下方に回動することにより、落下防止幕がシートクッションの左右側面、前側面に折り畳んで格納する構造である。
【０００５】
特許文献１    実開昭６１ー９３３４５号公報第５図
【０００６】
【発明が解決しようとする課題】
以上の落下防止幕によって載置物の落下を防止するものは、支持杆をロックするロック装置が必要になる。
また、このロック装置はリクライニング装置の操作部近傍且つ外方に配設しなければならない。
【０００７】
そのため、構造が複雑になるし、リクライニング装置の操作レバーの操作性が落下防止幕のロック装置によって損なわれる不具合がある。
【０００８】
そこで、本発明は落下防止材として幕体を使用したものにおいて、幕体の使用状態におけるロック操作性を向上させると共に、幕体の格納時におけるシートの外観品質を向上させることを目的とする。
【０００９】
【課題を解決するための手段】
以上の目的を達成するための本発明に係る載置物落下防止装置は、シートクッションの下方に固定したリトラクタに巻取られシートクッションの側面より上面に引き出される落下防止体に、シートの乗員拘束用シートベルトのバックルに、着脱自在に結合する固定具を設けてなる構成である。
【００１０】
以上の構成により、シートに備えてあるシートベルトのバックルをリトラクタより引き出した落下防止幕の固定手段として利用するため、構造が簡単で使用状態におけるロックの操作性も良好になる。しかも、落下防止幕の格納状態においてシートの外観品質が装置によって損なわれない。
【００１１】
また、前記落下防止体は、中央部とその左右に直角状に設けた左右の側部とから構成して左右の側部の遊端をシートクッションの左右側面に前後方向に回動自在に軸着したコ字状の支持杆と、前記支持杆の中央部に一端を連結し他端をシートクッションの前側面側から前記トラクタに連結する落下防止幕とからなり、前記支持杆に前記固定具を設けてなることにより、落下防止幕の保形性が向上し確実に載置物の落下を防止することができる。
【００１２】
更に、前記シートクッションの前側面下部に沿って、前記落下防止幕をシートクッションの前側面との間に挿通する樹脂製カバーを設けてなることにより、落下防止幕の格納状態におけるシートの外観品質を向上させることが可能となる。
【００１３】
【発明の実施の形態】
以下、本発明の実施の一形態を図面に基づいて説明する。
図１、図２は、本発明に係る載置物落下防止装置の使用状態を示し、図中ＳＣは、荷物などの載置物Ｂを上面イに載置するシートクッション、ＳＢはリクライニングデバイス（不図示）によって傾動可能にシートクッションＳＣに連結されているシートバックを各々示す。
【００１４】
以上の載置物Ｂは、落下防止体Ａによって自動車の急制動時に車床上に落下することがないように構成されている。
【００１５】
図示する落下防止体Ａは、コ字状の支持杆１０と、この支持杆１０に一端が連結され、シートクッションＳＣの底面に固設したリトラクタ１４に巻取られる落下防止幕１２、１３とから構成されている。
【００１６】
前記支持杆１０は、全長がシートクッションＳＣの上面イの横幅に対してやや長い中央部１０Ｂと、その中央部１０Ｂの両端に直角状に延設した左右側部１０Ａ、１０Ａとから構成して、シートクッションＳＣの上面に対して突出状に、また、シートクッションＳＣの前側面ロの前方に、倒伏可能にシートクッションＳＣの左右側面ハにピン１０Ｃで回動自在に軸着されている。
【００１７】
落下防止幕１２、１３は、支持杆１０が起立状態（図１、２の状態）において、シートクッションＳＣの上面イにおける前半部を被う大きさの本体１２と、同シートクッションＳＣの前側面ロからリトラクタ１４に連結する巻取部１３とから構成されている。
【００１８】
そして、前記支持杆１０の左右側部１０Ａ、１０Ａの一方には後方に向けて一体に連結杆１１が設けてあり、この連結杆１１の先端には、シートベルト５０のバックル５に着脱自在に結合する図３に示す固定具１１Ａが設けてある。
【００１９】
この固定具１１Ａは、シートベルトのバックル５に結着するタングと同一の構造のものであり、固定具１１Ａをバックル５に結合することにより、前記支持杆１０の起立状態が保持されるように構成されている。
【００２０】
なお、以上のバックル５はシートに備えてある乗員拘束用のシートベルトのもので、このバックル５を備えるシートベルトは緊縮しないもので、固定具を結合した際に伸長することがないようにしている。
【００２１】
以上のシートクッションＳＣは、左右側面ハ及び前側面ロは樹脂製のカバー部材４で被覆され、シートクッションＳＣの前側面ロの下部を被う中央被覆部４０と、シートクッションＳＣの前側面ロとの間に、前記落下防止幕１２の巻取部１３が挿通され、この巻取部１３を図３に示すようにリトラクタ１４によって巻取った際に、本体１２が格納される。
【００２２】
図１、図２において、図中２４はシートクッションＳＣの底面に固定した前記巻取部１３のガイド部材であり、シートクッションＳＣはトリムカバー２１、発泡体製パッド２２、パン型フレーム２３で構成され、左右一対のスライドレールのアッパーレール３１に載置固定され、アッパーレール３１は車床に締結したロアレール３２にスライド自在に係合している。図中３３はスライドレールのロック解除用操作レバーを示す。
【００２３】
以上の固定具１１Ａをバックル５から外すと、リトラクタ１４によって、落下防止幕Ａの巻取部１３が巻取られるため、落下防止幕の本体１２は、図３に示すようにカバー部材４の中央被覆部４０内に格納され、支持杆１０は倒伏してシートクッションＳＣの前側面ロ、左右側面ハの各々の下部に沿うように格納される。
【００２４】
従って、シートクッションＳＣの上面イには、載置物落下防止装置の構成部材が一切除去され、乗員が着座可能となる。
【００２５】
なお、図示するものはコ字状の支持杆１０に落下防止幕の本体１２を一体に設け、支持杆１０をシートクッションＳＣの左右側面ハに前後方向に回動自在に軸着しているが、本体１２の先端縁に沿って剛性を有する硬質プレートを結着し、この硬質プレートに前記バックル５に着脱自在に結合する固定具１１Ａを設けても良い。
【００２６】
【発明の効果】
本請求項１及び４の発明によれば、載置物を載置する場合に使用しないシートベルトのバックルを載置物落下防止装置の一部として使用するため、構造が簡単で、しかも、使用状態とするための組付操作性が良好になる。更に、前記従来品の如く、ロック装置を設ける必要がないため、シートの外観品質を向上させることができる。
【００２７】
本請求項２の発明によれば、落下防止幕が支持杆に支持されているため、使用状態における落下防止幕の保形性が良い。また、載置物を上から被せる状態になるため、載置物のガード状態が良好になる。
【００２８】
本請求項３の発明によれば、格納状態のシートの外観品質が向上する。
【図面の簡単な説明】
【図１】本発明装置の使用状態を示す斜視図である。
【図２】図１の断面図である。
【図３】本発明装置の格納状態を示す斜視図である。
【符号の説明】
ＳＣ      シートクッション
イ      シートクッションの上面
ロ      シートクッションの前側面
ハ      シートクッションの左右側面
Ａ      落下防止体
５      シートベルトのバックル
１０      支持杆
１０Ａ      支持杆の側部
１０Ｂ      支持杆の中央部
１１Ａ      固定具
１２      落下防止幕
１４      リトラクタ
【図１】
2004195079.tif 000003
【図２】
2004195079.tif 000004
【図３】
2004195079.tif 000005